(57)【特許請求の範囲】
【請求項１】
正面板、側面板、背面板、蓋部、該側面板の端部に形成されるサイドフラップ及び蓋部の端部に形成される差込みフラップを有する包装箱であって、該サイドフラップの側端部に係止部を有し、該差込みフラップに押圧部を有し、
該押圧部は、該係止部と係合可能な部位に配置され、該差込みフラップ表面側の凹部と該差込みフラップ裏面側の凸部とからなり、且つ該蓋部と該差込みフラップとの折り込み線と平行にならないように配置され、
該押圧部が該差込みフラップの中心へ向かうに従い該折り込み線から離れる方向に傾斜していることを特徴とする包装箱。
【請求項２】
前記押圧部が、前記折り込み線と１０°以上９０°未満の角度をなす直線及び／又は前記折り込み線に対して１０°以上９０°未満の角度範囲で変動する接線を有する曲線である請求項１に記載の包装箱。
【請求項３】
前記押圧部が長円形、長方形、角丸長方形及び円形から選ばれる少なくとも一種を有するものである請求項１に記載の包装箱。
【請求項４】
前記押圧部が、折れ線及び／又は波状曲線である請求項１に記載の包装箱。
【請求項５】
前記蓋部の端部に開閉フラップを有する請求項１〜４のいずれかに記載の包装箱。
【請求項６】
前記押圧部が、長円形、長方形、角丸長方形及び円形から選ばれる少なくとも二種であり、該二種の中心を結ぶ線分と該折り込み線のなす角が５°以上９０°未満である請求項１に記載の包装箱。
【請求項７】
前記押圧部の折れ線及び／又は波状曲線の振幅が、線幅の３倍以上である請求項４に記載の包装箱。
【発明の詳細な説明】
【技術分野】
【０００１】
本発明は、化粧品等の包装に用いられる包装箱に関する。
【背景技術】
【０００２】
従来、正面板、側面板、背面板、蓋部、該側面板の端部に形成されるサイドフラップ及び蓋部の端部に形成される差込みフラップを有する包装箱において、差込みフラップとサイドフラップとの係合により箱にロック機能を付与することは知られている。
例えば、特許文献１〜６では、差込みフラップの蓋部との折り込み線近傍に切込み部を設けて、この切込み部とサイドフラップとを係合させるロック機能を箱に付与している。
しかしながら、これらの箱はロック強度が強過ぎてしまい、開蓋時にフラップ部分が破損する場合がある。特に、化粧品等の箱は意匠性が高いものが多く、その意匠性を維持させるために開蓋時に箱を破損させないようにすることが望まれている。
これに対し、特許文献７は、差込みフラップの蓋部との折り込み線近傍に凸部又は凹部を設けることによりロック強度を軽減したロック機構を設けることを提案している。しかし、このような箱を組み立てるとき、自動組立機（又は人手）により差込みフラップ部分を折り曲げていくと、蓋部と差込みフラップとの折り込み線で折り曲げられずに、差込みフラップ内の凸部又は凹部で折り曲げられてしまうことがあり、箱を正確に且つ確実に成形することが難しかった。
【先行技術文献】
【特許文献】
【０００３】
【特許文献１】実開昭６３−２１２１２号公報
【特許文献２】実開昭６３−１３４９０９号公報
【特許文献３】実開平６−２５１２１号公報
【特許文献４】特開２０００−３２６９５５号公報
【特許文献５】特開２００１−１９９４３５号公報
【特許文献６】特開２００３−２９１９４３号公報
【特許文献７】実開平６−４２６３２号公報
【発明の概要】
【発明が解決しようとする課題】
【０００４】
本発明は、開蓋し易い適度なロック機能を有し、且つ箱を正確に且つ確実に成形することができる包装箱を提供することを課題とする。
【課題を解決するための手段】
【０００５】
本発明者は、差込みフラップに設ける押圧部の配置に着目し、前記課題を達成した。
すなわち、本発明は、正面板、側面板、背面板、蓋部、該側面板の端部に形成されるサイドフラップ及び蓋部の端部に形成される差込みフラップを有する包装箱であって、該サイドフラップの側端部に係止部を有し、該差込みフラップに押圧部を有し、該押圧部は、該係止部と係合可能な部位に配置され、該差込みフラップ表面側の凹部と該差込みフラップ裏面側の凸部とからなり、且つ該蓋部と該差込みフラップとの折り込み線と平行にならないように配置されることを特徴とする包装箱である。
【発明の効果】
【０００６】
本発明により、開蓋し易い適度なロック機能を有し、且つ箱を正確に且つ確実に成形することができる包装箱を提供することができる。
【図面の簡単な説明】
【０００７】
【図１】本発明の包装箱の一実施態様を示す概略斜視図であり、図１（ｂ）は図１（ａ）の蓋部のＡ−Ａ’断面図である。
【図２】本発明の包装箱の他の実施態様を示す概略斜視図である。
【図３】本発明の包装箱の他の実施態様を示す概略斜視図である。
【図４】本発明の包装箱におけるサイドフラップの態様を示す概略平面図である。
【図５】本発明の包装箱における押圧部の他の実施態様を示す蓋部と差込みフラップの概略展開図である。
【図６】本発明の包装箱における押圧部の他の実施態様を示す蓋部と差込みフラップの概略展開図である。
【図７】本発明の包装箱における押圧部の他の実施態様を示す蓋部と差込みフラップの概略展開図である。
【図８】本発明の包装箱における押圧部の他の実施態様を示す蓋部と差込みフラップの概略展開図である。
【図９】本発明の包装箱における押圧部の他の実施態様を示す蓋部と差込みフラップの概略展開図である。
【図１０】本発明の包装箱における押圧部の他の実施態様を示す蓋部と差込みフラップの概略展開図である。
【図１１】本発明の包装箱における押圧部の他の実施態様を示す蓋部と差込みフラップの概略展開図である。
【図１２】本発明の包装箱における押圧部の他の実施態様を示す蓋部と差込みフラップの概略展開図である。
【図１３】比較例の包装箱を示す概略斜視図である。
【発明を実施するための形態】
【０００８】
本発明の包装箱は、正面板、側面板、背面板、蓋部、該側面板の端部に形成されるサイドフラップ及び蓋部の端部に形成される差込みフラップを有する包装箱であって、該サイドフラップの側端部に係止部を有し、該差込みフラップに押圧部を有し、該押圧部は、該係止部と係合可能な部位に配置され、該差込みフラップ表面側の凹部と該差込みフラップ裏面側の凸部とからなり、且つ該蓋部と該差込みフラップとの折り込み線と平行にならないように配置されることを特徴とする。
ここで、「該折り込み線と平行にならない」とは、「直線の場合においては、直線が該折り込み線と交わる角度の鋭角側が５〜９０°の範囲である」ことであり、「曲線の場合においては、該折り込み線と交わる角度の鋭角側が５〜９０°の範囲内で変動する接線を有する」ことである。
自動組立機（又は人手）により該差込みフラップ部分を折り曲げる工程において該差込みフラップ内の該押圧部で誤って折り曲げられることを防止する観点からは、該押圧部が、該折り込み線と１０〜９０°の角度をなす直線及び／又は該折り込み線に対して１０〜９０°の角度範囲内で変動する接線を有する曲線であることが好ましい。
【０００９】
本発明の包装箱の実施の形態について、図面を参照して説明する。図１は、本発明の包装箱の一実施態様を示す概略斜視図である。
図１（ａ）に示す本発明の第１の実施態様である包装箱１０は、正面板１１、側面板１２、背面板１３、蓋部１４、側面板１２の端部に形成されるサイドフラップ１６及び蓋部１４の端部に形成される差込みフラップ１５を有する包装箱であって、サイドフラップ１６の側端部に係止部１６ａを有し、差込みフラップ１５に押圧部２０を有し、押圧部２０は蓋部１４と差込みフラップ１５との折り込み線３０と平行にならないように配置されており、この配置により差込みフラップ１５の折り込み線３０と垂直な方向の剛性が高まり、折り込み線３０と平行な方向に折れ曲がり難くなるので、自動組立機（又は人手）により差込みフラップ部分を折り曲げる工程において、差込みフラップ１５内の押圧部２０で誤って折り曲げられてしまうことがなく、蓋部１４と差込みフラップ１５との折り込み線３０で正確に且つ確実に折り曲げ成形されることとなる。図１（ａ）においては、押圧部２０は、折り込み線３０と垂直に配置されている。
図１（ａ）においては、２箇所の押圧部２０は、それぞれ直線を２本ずつ有するが、１本でも良く、３本以上の多数本でも良い。
【００１０】
また、押圧部２０は左右２箇所のサイドフラップ１６の係止部１６ａに対応して２箇所に配置され、それぞれ係止部１６ａと係合可能な部位に配置されている。ここで、係止部１６ａとは、側面板１２側のサイドフラップ１６端部から離隔部１６ｂに至るまでのサイドフラップ１６の正面板側の側端部をいい、離隔部１６ｂとは、サイドフラップ１６の側端部が正面板１１から、差込みフラップ１５の厚みと押圧部の凸部の厚みとの合計量より大きく離隔するサイドフラップ１６の正面板側の側端部をいう。係合可能な部位とは、サイドフラップ１６の係止部１６ａに対応する差込みフラップ１５の部位（すなわち、係合時に係止部１６ａと対向する差込みフラップ１５の部位）をいう。押圧部２０が係止部１６ａと係合する観点から、押圧部２０は折り込み線３０からサイドフラップ１６の厚み以上離隔していることが好ましい。
【００１１】
図１（ｂ）は図１（ａ）の蓋部のＡ−Ａ’断面図である。図１（ｂ）に示すように、押圧部２０は差込みフラップ１５の表面側の凹部と差込みフラップ１５の裏面側の凸部とからなる。差込みフラップ１５の表面側から適当な形状で押圧することにより、同時に凹部と凸部とが一体的に形成される。係止部１６ａは差込みフラップ１５の裏面側にあるので、その係止部１６ａと係合するための凸部が差込みフラップ１５の裏面側に存在することが肝要である。
また、差込みフラップ１５の表面側に形成される凹部は、包装箱１０を開蓋した時の意匠性を高める効果を奏する。
【００１２】
図２は、本発明の包装箱１０の他の実施態様を示す概略斜視図である。図２においては、２箇所の押圧部２０は、それぞれ折り込み線３０に対して垂直な直線を３本ずつ有するので、さらに差込みフラップ１５の折り込み線３０と垂直な方向の剛性が高まり、折り込み線３０と平行な方向に折れ曲がり難くなっている。
図２に示すように、本発明の包装箱１０において、蓋部１４の端部（差込みフラップ１６側の端部）に開閉フラップ４０を設けると、開閉フラップ４０を指で持ち上げることのより簡単に開蓋でき、開蓋が一動作で簡便となるので、本発明の簡便なロック機構の利便性がさらに高まることとなる。
開閉フラップ４０は、図２に示すように差込みフラップ１５に切り込みを入れるだけで簡単に作製できる。
【００１３】
図３は、本発明の包装箱１０の他の実施態様を示す概略斜視図である。図３においては、押圧部２０は１つで、押圧部２０を構成するＶ字形状の両端部がサイドフラップ１６にある２箇所の係止部１６ａと対応しており（すなわち、係合時に係止部１６ａと対向しており）、この両端部が係止部１６ａの双方と好適に係合する。このように、正面板１１の幅が狭く、包装箱１０の水平断面が正方形に近い場合は、押圧部２０を２箇所の係止部１６ａに合わせて２箇所設ける必要がなく、連続した１つの形状を有していても良い。図３では、押圧部２０は、Ｖ字形状に形成されているが他の文字又は図形でも良い。いずれも包装箱１０を開蓋した時に、文字又は図形がポップ・アップするため、意外性のある意匠効果を奏する。
【００１４】
図４は、本発明の包装箱におけるサイドフラップの態様を示す概略平面図である。図４（ａ）においては、正面板１１と側面板１２との境界部位から正面板１１と１〜５°程度の鋭角で係止部１６ａが延びている。この係止部１６ａは途中でさらに正面板１１と離隔し、離隔部１６ｂとなっている。
図４（ｂ）においては、正面板１１と側面板１２との境界部位から離隔部１６ｂまでが、正面板１１と一定の距離（サイドフラップ１６の厚み程度）を保って係止部１６ａが形成されている。
いずれの場合も、差込みフラップ１５が容易に包装箱１０内に差し込まれ、且つ押圧部２０の凸部と係合し得る程度に、正面板１１と係止部１６ａとが離隔していれば良い。
また、必要に応じて、背面板１３と、サイドフラップ１６の背面板側の側端部とが１〜１０°程度の鋭角で除々に離隔していても良い。
【００１５】
図５〜１２は、本発明の包装箱１０における押圧部２０の他の実施態様を示す蓋部と差込みフラップの概略展開図である。図５〜９は、押圧部２０が、折り込み線３０と１０〜９０°の角度をなす直線及び／又は折り込み線３０に対して１０〜９０°の角度範囲で変動する接線を有する曲線である場合を示す。
図５に示す押圧部２０は、差込みフラップ１５の側端部から延びる直線であって、折り込み線３０と約３０°の角度をなす。
図６に示す押圧部２０は、差込みフラップ１５の側端部から延びる曲線であって、差込みフラップ１５の側端部の始点では折り込み線３０と約２０°の角度をなす接線を有し、差込みフラップ１５内側の終点では折り込み線３０と約７０°の角度をなす接線を有する。すなわち押圧部２０は折り込み線３０に対して２０〜７０°の角度範囲で変動する接線を有する曲線である。
【００１６】
図７に示す押圧部２０は、差込みフラップ１５の側端部の少し内側から延びる直線であって、折り込み線３０と約２５°の角度をなす。
図８に示す押圧部２０は、差込みフラップ１５の側端部の少し内側から延びる曲線であって、差込みフラップ１５の側端部近傍の始点では折り込み線３０と約７０°の角度をなす接線を有し、差込みフラップ１５内側の終点では折り込み線３０と約２０°の角度をなす接線を有する。すなわち押圧部２０は折り込み線３０に対して２０〜７０°の角度範囲で変動する接線を有する曲線である。
図９に示す押圧部２０は、差込みフラップ１５の側端部の少し内側に配置され、折り込み線３０と垂直な５本の直線からなる。
【００１７】
本発明に係る押圧部２０は、長円形、長方形、角丸長方形（角が丸い長方形）及び円形から選ばれる少なくとも一種を有していても良い。より具体的にいえば、押圧部２０が、中心線が折り込み線３０と平行でない少なくとも１つの長円形、中心線が折り込み線３０と平行でない少なくとも１つの長方形、中心線が折り込み線３０と平行でない少なくとも１つの角丸長方形及び２つ以上の円形からなり円形の中心を結ぶ直線が折り込み線３０と平行でないものから選ばれる少なくとも一種を有していれば、押圧部２０で折り曲げられることを防止する観点から好ましい。ロック機能を向上させるためには、長円形、長方形、角丸長方形及び円形から選ばれる少なくとも一種が複数あった方が好ましい。複数の組合せは、長円形と円形の組み合わせのように異なる図形同士の組み合わせであっても良い。
本発明に係る押圧部２０が長円形、長方形、角丸長方形及び円形から選ばれる少なくとも二種である場合は、それらの中心を結ぶ線分が折り込み線３０と５〜９０°の角度をなして延在することが好ましい。
図１０に示す押圧部２０は、差込みフラップ１５の側端部の少し内側に配置され、左右２箇所の押圧部２０は、いずれも１つの角丸長方形からなる。この角丸長方形の中心線と折り込み線３０との角度は約２５°である。
図１１に示す押圧部２０は、差込みフラップ１５の側端部の少し内側に配置され、２箇所の押圧部２０は、いずれも２つの円形からなる。この２つの円形を結ぶ直線と折り込み線３０との角度は約３０°である。
【００１８】
また、本発明に係る押圧部２０は、折れ線及び／又は波状曲線であっても良い。折れ線及び／又は波状曲線であれば、折れ線及び／又は波状曲線の少なくとも大部分が折り込み線３０と平行にならないので好ましい。自動組立機（又は人手）により差込みフラップ部分を折り曲げる工程において差込みフラップ１５内の押圧部２０で折り曲げられることを防止する観点からは、折れ線又は波状曲線の波の振幅を大きくすることが好ましく、振幅が線幅の３倍以上であることが好ましく、振幅が線幅の５倍以上であることがより好ましい。振幅の上限は特にないが、線幅の１０倍以下であれば押圧部を作製し易く好ましい。
図１２に示す押圧部２０は折れ線状に形成されており、線幅に比べ約３．５倍の振幅となっている。また差込みフラップ１５の側端部から延びる折れ線であって、折れ線の中心線と折り込み線３０との角度は約２０°であり、折り込み線３０とは平行とならないため、押圧部２０で折り曲げられてしまうことを防止する観点からさらに好ましい。
【００１９】
以上述べた図５〜１２に示す本発明に係る押圧部２０の始点は、いずれも、折り込み線３０からサイドフラップ１６の厚み程度又はそれ以上離隔しているので、ロック機構が確実に機能し、好ましい。
図５、６及び１２のように押圧部２０が差込フラップ１５の側端部から開始すると、係止部１６ａとの係合がより強固となる（特に図４（ａ）の様な係止部の場合）反面、押圧部２０で折れ曲がる成形不具合が出やすくなる傾向にあるが、本願発明では押圧部２０が折り込み線３０とは平行とならないため、成形不具合が発生し難い。
また図１，２，３，７，８，９，１０及び１１のように押圧部２０が差込フラップ１５の側端部より少し内側から開始すると、押圧部２０で折れ曲がる成形不具合のリクスは低くなるが、係止部１６ａとの対向する部分が減少するため係合が弱くなる傾向にあるので、これらの場合は係止部１６ａの押圧部２０と対向する部分を増やすことなどにより係合を弱めない対応が可能である。
【００２０】
図１３は、比較例の包装箱を示す概略斜視図である。図１３に示すように比較例の包装箱５０は、正面板５１、側面板５２、背面板（図示しない）、蓋部５４、側面板５２の端部に形成されるサイドフラップ５６及び蓋部５４の端部に形成される差込みフラップ５５を有しサイドフラップ５６の側端部に係止部５６ａを有するが、差込みフラップ５５に切り欠き部６０を有するので、開蓋時に係止部５６ａと切り欠き部６０との係合がうまく外れず、係合したまま開蓋しようとすると差込みフラップ５５及び／又はサイドフラップ５６を破損することがあり、意匠性をも意図した化粧品等の包装箱の再利用を阻害するおそれがある。
【００２１】
本発明の包装箱の材質としては、例えば、板紙、クラフト紙等の包装用紙、合成紙、プラスチックシート等が挙げられる。本発明の効果の発揮しやすさ、容易な加工性等を考慮すると、板紙、クラフト紙等の包装用紙、合成紙等の紙が好ましい。
プラスチックシートとしては、例えばポリエチレンテレフタレートもしくはその共重合体、ポリプロピレンもしくはその共重合体、ポリスチレンもしくはその共重合体、あるいはこれらの積層体等が挙げられる。
包装箱の美感を高めるため、金属、金属酸化物、酸化ケイ素等による表面蒸着、金属箔等の積層、樹脂等の表面コーテイングなどにより包装箱表面を加飾することが好ましい。
【産業上の利用可能性】
【００２２】
本発明の包装箱は、各種筒状体、多角柱体、瓶体等の容器に入った商品であって、口紅、香水、マニキュア等の化粧品やトリートメント、ヘアカラー、ヘアマニキュア等のヘアケア商品等を収容する包装箱として好適に用いられる。
【符号の説明】
【００２３】
１０    本発明の包装箱
１１    正面板
１２    側面板
１３    背面板
１４    蓋部
１５    差込みフラップ
１６    サイドフラップ
１６ａ    係止部
１６ｂ    離隔部
２０    押圧部
３０    蓋部と差込みフラップとの折り込み線
４０    開閉フラップ
５０    比較例の包装箱
５１    正面板
５２    側面板
５４    蓋部
５５    差込みフラップ
５６    サイドフラップ
５６ａ    係止部
６０    切り欠き部
【図１】
0005497383.tif 000002
【図２】
0005497383.tif 000003
【図３】
0005497383.tif 000004
【図４】
0005497383.tif 000005
【図５】
0005497383.tif 000006
【図６】
0005497383.tif 000007
【図７】
0005497383.tif 000008
【図８】
0005497383.tif 000009
【図９】
0005497383.tif 000010
【図１０】
0005497383.tif 000011
【図１１】
0005497383.tif 000012
【図１２】
0005497383.tif 000013
【図１３】
0005497383.tif 000014